(57)【要約】【課題】所定の地域に人を集めること。【解決手段】複数地点のうちの携帯電話機４が配置される通過地点を示す通過地点ＩＤを携帯電話機４から公衆回線網２を介して収集する通行情報収集部２３と、通過地点ＩＤを記録する通行情報データベース２１と、通行情報データベース２１に記録される複数通過地点ＩＤが通行条件を満足するかどうかを判別する通行情報処理部２４と、複数通過地点ＩＤが通行条件を満足するときに、複数通過地点ＩＤが通行条件を満足することを特典提供業者端末５に通知する通行情報配信部２５とを具備している。特典提供業者端末５を使用する特典提供業者１５が通行条件を満足する携帯電話機４のユーザ１２に特典を提供するときに、そのユーザ１２は、その通過地点に誘導される。【選択図】図１
2004199607.tif 000002
【特許請求の範囲】
【請求項１】
複数地点のうちの携帯電話機が配置される通過地点を示す通過地点ＩＤを前記携帯電話機から公衆回線網を介して収集する通行情報収集部と、
前記通過地点ＩＤを記録する通行情報データベースと、
前記通行情報データベースに記録される複数通過地点ＩＤが通行条件を満足するかどうかを判別する通行情報処理部と、
前記複数通過地点ＩＤが前記通行条件を満足するときに、前記複数通過地点ＩＤが前記通行条件を満足することを特典提供業者端末に通知する通行情報配信部
とを具備する地域振興装置。
【請求項２】
請求項１において、
前記携帯電話機は、前記携帯電話機が前記複数地点に配置されることを検出するセンサに接続され、
前記センサは、前記携帯電話機が前記通過地点に配置されるときに、前記通過地点ＩＤとともに地域振興トリガを前記携帯電話機に出力し、
前記携帯電話機は、
複数アプリケーションを備え、
前記地域振興トリガに応答して前記複数アプリケーションのうちの前記地域振興トリガに対応する地域振興アプリケーションを実行して前記通過地点ＩＤを当該地域振興装置に送信する
ことを特徴とする地域振興装置。
【請求項３】
請求項２において、
前記通過地点には、路側アンテナが設置され、
前記路側アンテナは、前記通過地点ＩＤと前記地域振興トリガとを示す電波を出力し、
前記センサは、前記電波を受信することに応答して、前記通過地点ＩＤと前記地域振興トリガとを前記携帯電話機に出力する
ことを特徴とする地域振興装置。
【請求項４】
請求項３において、
前記センサは、道路を走行する車両に搭載される車載器である
ことを特徴とする地域振興装置。
【請求項５】
請求項４において、
前記道路に設置される他の路側アンテナは、課金地点ＩＤと道路課金トリガとを示す他の電波を出力し、
前記センサは、前記他の電波を受信することに応答して前記課金地点ＩＤと前記道路課金トリガとを前記携帯電話機に出力し、
前記携帯電話機は、前記道路課金トリガに応答して前記複数アプリケーションのうちの前記道路課金トリガに対応する道路課金アプリケーションを実行して前記課金地点ＩＤと前記車両を識別する車ＩＤとを道路課金サーバに前記公衆回線網を介して送信する
ことを特徴とする地域振興装置。
【請求項６】
請求項２において、
前記センサは、ＧＰＳ衛星から出力される電波に基づいて前記通過地点を測定する
ことを特徴とする地域振興装置。
【請求項７】
請求項４〜請求項６のいずれかにおいて、
前記複数地点は、正数または負数であるポイントに対応し、
前記通行条件は、前記ポイントのうちの前記複数通過地点ＩＤに対応する地点に対応する複数のポイントの合計が所定の範囲に含まれることである
ことを特徴とする地域振興装置。
【請求項８】
請求項１〜請求項７のいずれかにおいて、
前記通行情報配信部は、前記複数通過地点ＩＤを前記携帯電話機に更に通知する
ことを特徴とする地域振興装置。
【請求項９】
複数地点のうちの携帯電話機が配置される通過地点を示す通過地点ＩＤを前記携帯電話機から公衆回線網を介して収集して前記通過地点ＩＤを通行情報データベースに記録するステップと、
前記通行情報データベースに記録される複数通過地点ＩＤが通行条件を満足するかどうかを判別するステップと、
前記複数通過地点ＩＤが前記通行条件を満足するときに、前記複数通過地点ＩＤが前記通行条件を満足することを特典提供業者端末に通知するステップ
とを具備する地域振興方法。
【請求項１０】
請求項９において、
前記携帯電話機は、前記携帯電話機が前記複数地点に配置されることを検出するセンサに接続され、
前記センサは、前記携帯電話機が前記通過地点に配置されるときに、前記通過地点ＩＤとともに地域振興トリガを前記携帯電話機に出力し、
前記携帯電話機は、
複数アプリケーションを備え、
前記地域振興トリガに応答して前記複数アプリケーションのうちの前記地域振興トリガに対応する地域振興アプリケーションを実行して前記通過地点ＩＤを出力する
ことを特徴とする地域振興方法。
【請求項１１】
請求項１０において、
前記通過地点には、路側アンテナが設置され、
前記路側アンテナは、前記通過地点ＩＤと前記地域振興トリガとを示す電波を出力し、
前記センサは、前記電波を受信することに応答して、前記通過地点ＩＤと前記地域振興トリガとを前記携帯電話機に出力する
ことを特徴とする地域振興方法。
【請求項１２】
請求項１１において、
前記センサは、道路を走行する車両に搭載される車載器である
ことを特徴とする地域振興方法。
【請求項１３】
請求項１２において、
前記道路に設置される他の路側アンテナは、課金地点ＩＤと道路課金トリガとを示す他の電波を出力し、
前記センサは、前記他の電波を受信することに応答して前記課金地点ＩＤと前記道路課金トリガとを前記携帯電話機に出力し、
前記携帯電話機は、前記道路課金トリガに応答して前記複数アプリケーションのうちの前記道路課金トリガに対応する道路課金アプリケーションを実行して前記課金地点ＩＤと前記車両を識別する車ＩＤとを道路課金サーバに前記公衆回線網を介して送信する
ことを特徴とする地域振興方法。
【請求項１４】
請求項１０において、
前記センサは、ＧＰＳ衛星から出力される電波に基づいて前記通過地点を測定する
ことを特徴とする地域振興方法。
【請求項１５】
請求項１２〜請求項１４のいずれかにおいて、
前記複数地点は、正数または負数であるポイントに対応し、
前記通行条件は、前記ポイントのうちの前記複数通過地点ＩＤに対応する地点に対応する複数のポイントの合計が所定の範囲に含まれることである
ことを特徴とする地域振興方法。
【請求項１６】
請求項９〜請求項１５のいずれかにおいて、
前記複数通過地点ＩＤを前記携帯電話機に通知するステップを更に具備する
ことを特徴とする地域振興方法。
【発明の詳細な説明】
【０００１】
【発明の属する技術分野】
本発明は、地域振興装置及び地域振興方法に関し、特に、所定の地域に集客するときに利用される地域振興装置及び地域振興方法に関する。
【０００２】
【従来の技術】
集客目的の商店街または観光地による地域振興策が実施されている。このような地域振興策としては、複数の地点を一定の経路で巡って、各地点に置いてあるスタンプを集めるスタンプラリーが例示される。このようなスタンプラリーでは、すべてのスタンプを集めた顧客に特典（景品）を与えて、その複数の地点に顧客を立ち寄らせている。さまざまな形態の地域振興策の提案が望まれている。
【０００３】
ＤＳＲＣ（狭域通信）を利用して有料道路の通行料金をユーザから徴収する道路課金システムが開発されている。その道路課金システムに適用される車載器が普及することが望まれ、その車載器は、さまざまな機能を備えている。
【０００４】
特開２００１−３４７９８号公報には、有料道路での自動料金収受サービスを受けている時に、自動料金収受システムを有効利用して、所定の自動料金収受システムとは異なる所定のデータ（音楽データ、地図データ参照）をダウンロードし、自動料金収受サービスの終了後（車両が有料道路の出口を通過した後）に、ダウンロードされたデータを再生すべく構成することで、高い信頼性を有するＥＴＣ通信システムを有効利用しつつ、通信費が何らかさむことなく、所望のデータをダウンロードさせることができる車両用料金収受システムが開示されている。
【０００５】
特開２００１−２５０１９４号公報には、無線によりインターネットに接続し、装置のコストを低減可能で、課金などのシステムを合理的に構築できるナビゲーションシステムが開示されている。
【０００６】
【特許文献１】
特開２００１−３４７９８号公報
【特許文献２】
特開２００１−２５０１９４号公報
【０００７】
【発明が解決しようとする課題】
本発明の課題は、所定の地域に人を集める地域振興装置及び地域振興方法を提供することにある。
本発明の他の課題は、通行料金を徴収するシステムに適用される車載器を普及する地域振興装置及び地域振興方法を提供することにある。
本発明のさらに他の課題は、所定の道路の沿道の環境を改善する地域振興装置及び地域振興方法を提供することにある。
【０００８】
【課題を解決するための手段】
以下に、［発明の実施の形態］で使用される番号・符号を括弧付きで用いて、課題を解決するための手段を説明する。これらの番号・符号は、［特許請求の範囲］の記載と［発明の実施の形態］の記載との対応を明らかにするために付加されたものであり、［特許請求の範囲］に記載されている発明の技術的範囲の解釈に用いてはならない。
【０００９】
本発明による地域振興装置（３）は、複数地点のうちの携帯電話機（４）が配置される通過地点を示す通過地点ＩＤを携帯電話機（４）から公衆回線網（２）を介して収集する通行情報収集部（２３）と、通過地点ＩＤを記録する通行情報データベース（２１）と、通行情報データベース（２１）に記録される複数通過地点ＩＤが通行条件を満足するかどうかを判別する通行情報処理部（２４）と、複数通過地点ＩＤが通行条件を満足するときに、複数通過地点ＩＤが通行条件を満足することを特典提供業者端末（５）に通知する通行情報配信部（２５）とを具備している。
【００１０】
特典提供業者端末（５）を使用する特典提供業者（１５）が通行条件を満足する携帯電話機（４）のユーザ（１２）に特典を提供するときに、そのユーザ（１２）は、その通過地点に誘導される。
【００１１】
携帯電話機（４）は、携帯電話機（４）が複数地点に配置されることを検出するセンサ（１４）に接続されている。センサ（１４）は、携帯電話機（４）が通過地点に配置されるときに、通過地点ＩＤとともに地域振興トリガを携帯電話機（４）に出力する。携帯電話機（４）は、複数アプリケーション（４２）を備えている。携帯電話機（４）は、地域振興トリガに応答して複数アプリケーション（４２）のうちの地域振興トリガに対応する地域振興アプリケーション（４４）を実行して通過地点ＩＤを地域振興装置（３）に送信する。地域振興装置（３）は、このような携帯電話機（４）を用いて、利用されることが好ましい。
【００１２】
通過地点には、路側アンテナ（１０）が設置されている。路側アンテナ（１０）は、通過地点ＩＤと地域振興トリガとを示す電波を出力している。センサ（１４）は、電波を受信することに応答して、通過地点ＩＤと地域振興トリガとを携帯電話機（４）に出力する。地域振興装置（３）は、このような路側アンテナ（１０）を用いて、利用されることが好ましい。
【００１３】
センサ（１４）は、道路を走行する車両（１３）に搭載される車載器であることが好ましい。
【００１４】
道路に設置される他の路側アンテナ（１０）は、課金地点ＩＤと道路課金トリガとを示す他の電波を出力している。センサ（１４）は、他の電波を受信することに応答して課金地点ＩＤと道路課金トリガとを携帯電話機（４）に出力する。携帯電話機（４）は、道路課金トリガに応答して複数アプリケーション（４２）のうちの道路課金トリガに対応する道路課金アプリケーション（４３）を実行して課金地点ＩＤと車両（１３）を識別する車ＩＤとを道路課金サーバ（６）に公衆回線網（２）を介して送信する。道路課金サーバ（６）は、課金地点ＩＤと車ＩＤとに基づいて、その車両（１３）のユーザ（１２）から道路の通行料金を徴収する。そのユーザ（１２）は、特典提供業者（１５）から特典を入手するときに、道路課金に利用される車載器（１４）が必要であり、車両（１３）にその車載器（１４）を搭載することが誘導される。この結果、車載器（１４）を車両（１３）に搭載することを普及させることができる。
【００１５】
センサ（１４）は、ＧＰＳ衛星から出力される電波に基づいて通過地点を測定することが好ましい。すなわち、車載器（１４）として、センサ（１４）にＧＰＳ衛星を用いたナビゲーション装置を適用することができる。
【００１６】
複数地点は、正数または負数であるポイントに対応している。通行条件は、ポイントのうちの複数通過地点ＩＤに対応する地点に対応する複数のポイントの合計が所定の範囲に含まれることである。地域振興装置（３）は、合計が所定の値より大きいことをその通行条件にしたときに、負数のポイントに対応付けられた地点の車両（１３）の通行を制限することができる。
【００１７】
通行情報配信部（２５）は、複数通過地点ＩＤを携帯電話機（４）に更に通知することが好ましい。
【００１８】
本発明による地域振興方法は、複数地点のうちの携帯電話機（４）が配置される通過地点を示す通過地点ＩＤを携帯電話機（４）から公衆回線網（２）を介して収集して通行情報データベース（２１）にその通過地点ＩＤを記録するステップ（Ｓ１４、Ｓ１５）と、通行情報データベース（２１）に記録される複数通過地点ＩＤが通行条件を満足するかどうかを判別するステップ（Ｓ２１、Ｓ２２）と、複数通過地点ＩＤが通行条件を満足するときに、複数通過地点ＩＤが通行条件を満足することを特典提供業者端末（５）に通知するステップ（Ｓ２３）とを具備している。
【００１９】
特典提供業者端末（５）を使用する特典提供業者（１５）が通行条件を満足する携帯電話機（４）のユーザ（１２）に特典を提供するときに、そのユーザ（１２）は、その通過地点に誘導される。
【００２０】
携帯電話機（４）は、携帯電話機（４）が複数地点に配置されることを検出するセンサ（１４）に接続されている。センサ（１４）は、携帯電話機（４）が通過地点に配置されるときに、通過地点ＩＤとともに地域振興トリガを携帯電話機（４）に出力する。携帯電話機（４）は、複数アプリケーション（４２）を備えている。携帯電話機（４）は、地域振興トリガに応答して複数アプリケーション（４２）のうちの地域振興トリガに対応する地域振興アプリケーション（４４）を実行して通過地点ＩＤを地域振興装置（３）に送信する。本発明による地域振興方法は、このような携帯電話機（４）を用いて、利用されることが好ましい。
【００２１】
通過地点には、路側アンテナ（１０）が設置されている。路側アンテナ（１０）は、通過地点ＩＤと地域振興トリガとを示す電波を出力している。センサ（１４）は、電波を受信することに応答して、通過地点ＩＤと地域振興トリガとを携帯電話機（４）に出力する。本発明による地域振興方法は、このような路側アンテナ（１０）を用いて、利用されることが好ましい。
【００２２】
センサ（１４）は、道路を走行する車両（１３）に搭載される車載器であることが好ましい。
【００２３】
道路に設置される他の路側アンテナ（１０）は、課金地点ＩＤと道路課金トリガとを示す他の電波を出力している。センサ（１４）は、他の電波を受信することに応答して課金地点ＩＤと道路課金トリガとを携帯電話機（４）に出力する。携帯電話機（４）は、道路課金トリガに応答して複数アプリケーション（４２）のうちの道路課金トリガに対応する道路課金アプリケーション（４３）を実行して課金地点ＩＤと車両（１３）を識別する車ＩＤとを道路課金サーバ（６）に公衆回線網（２）を介して送信する。道路課金サーバ（６）は、課金地点ＩＤと車ＩＤとに基づいて、その車両（１３）のユーザ（１２）から道路の通行料金を徴収する。そのユーザ（１２）は、特典提供業者（１５）から特典を入手するときに、道路課金に利用される車載器（１４）が必要であり、車両（１３）にその車載器（１４）を搭載することが誘導される。この結果、車載器（１４）を車両（１３）に搭載することを普及させることができる。
【００２４】
センサ（１４）は、ＧＰＳ衛星から出力される電波に基づいて通過地点を測定することが好ましい。すなわち、車載器（１４）として、センサ（１４）にＧＰＳ衛星を用いたナビゲーション装置を適用することができる。
【００２５】
複数地点は、正数または負数であるポイントに対応している。通行条件は、ポイントのうちの複数通過地点ＩＤに対応する地点に対応する複数のポイントの合計が所定の範囲に含まれることである。本発明による地域振興方法は、合計が所定の値より大きいことをその通行条件にしたときに、負数のポイントに対応付けられた地点の車両（１３）の通行を制限することができる。
【００２６】
本発明による地域振興方法は、複数通過地点ＩＤを携帯電話機（４）に通知するステップ（Ｓ２４）をさらに具備していることが好ましい。
【００２７】
【発明の実施の形態】
図面を参照して、本発明による地域振興装置が適用される地域振興システムの実施の形態を説明する。その地域振興システム１は、図１に示されているように、インターネット２を介して複数の情報処理装置（コンピュータ）が互いに双方向に情報を伝送することができるように接続されている。情報処理装置は、主記憶装置、中央処理装置（ＣＰＵ）および入出力装置を備えている。その主記憶装置は、コンピュータプログラムとデータとを記録する。その中央処理装置は、そのコンピュータプログラムを実行して、そのデータを処理し、その入出力装置の動作を制御する。
【００２８】
その複数の情報処理装置は、地域振興装置３、携帯電話機４、特典提供業者端末５および道路課金サーバ６から形成されている。地域振興装置３は、ワークステーションに例示される情報処理装置であり、地域振興センタ１１により使用される。携帯電話機４は、ユーザ１２により使用される。ユーザ１２は、道路を走行する自動車１３を有している。自動車１３には、車載器１４が搭載されている。車載器１４は、携帯電話機４に電気信号を伝送可能に接続され、携帯電話機４と着脱可能である。携帯電話機４は、インターネット２を介して電子メールを送受信することができ、かつ、ユーザ１２に携帯されて他の電話機とともに通話することができる。携帯電話機４は、地域振興システム１に複数が設けられている。特典提供業者端末５は、パーソナルコンピュータに例示される情報処理装置であり、特典提供業者１５により使用される。特典提供業者端末５は、地域振興システム１に複数が設けられている。道路課金サーバ６は、ワークステーションに例示される情報処理装置であり、有料道路事業者１６により使用される。道路課金サーバ６は、地域振興システム１に複数が設けられることもできる。
【００２９】
地域振興センタ１１は、ユーザ１２から個人情報を収集して、携帯電話機４により実行される地域振興アプリケーションをそのユーザ１２に提供する。地域振興センタ１１は、さらに、特典提供業者１５から条件を収集し、その条件を満足するユーザ１２の個人情報をその特典提供業者１５に通知する。地域振興センタ１１は、さらに、特典提供業者１５から収集された条件に記載された場所に路側アンテナ１０を設置する。
【００３０】
ユーザ１２は、携帯電話機４を車載器１４に接続して自動車１３を運転して道路を走行する。ユーザ１２は、自動車１３から外に出るときに、携帯電話機４を車載器１４から外して携帯することができる。
【００３１】
特典提供業者１５は、地域振興センタ１１に依頼して、所定の場所を所定の条件で通行するユーザ１２を通知してもらい、そのユーザ１２に特典を与える。特典提供業者１５としては、商店街、観光地の地方自治体が例示される。その特典としては、景品、優遇される扱いが例示される。その景品としては、その商店街で使用することができる商品券、その観光地の名産品が例示される。優遇される扱いとしては、その地方自治体の名誉住民の称号が与えられることが例示される。
【００３２】
有料道路事業者１６は、管轄する有料道路を走行する車両に通行料金を課金している。このとき、有料道路事業者１６は、その有料道路の出入り口に路側アンテナ１０を設置し、路側アンテナ１０を用いて有料道路を走行する車両を特定して、そのユーザから通行料金を徴収する。
【００３３】
有料道路事業者１６は、または、外部区域から内部の制限区域に進入する車両に通行料金を課金して車両が制限区域に進入することを制限し、制限区域の内部の渋滞を緩和して円滑な交通を確保している。このとき、有料道路事業者１６は、外部区域から制限区域に接続するすべての道路に路側アンテナ１０を設置し、路側アンテナ１０を用いて制限区域に進入する車両を特定してそのユーザから通行料金を徴収する。
【００３４】
路側アンテナ１０は、起動トリガを示す電波を常時にまたは間欠的に出力している。その電波は、ＤＳＲＣ（狭域通信）に利用される電波であり、路側アンテナ１０から３０メートル以内の距離の範囲に配置される受信装置により受信される。その起動トリガは、携帯電話機４により実行されるアプリケーションと、そのアプリケーションで使用されるデータとを示している。路側アンテナ１０は、異なる複数のアプリケーションを示す複数の起動トリガを出力することもできる。路側アンテナ１０は、さらに、それぞれを互いに識別する地点ＩＤが対応づけられている。
【００３５】
車載器１４は、路側アンテナ１０が出力する電波を受信して、その電波により示される起動トリガを示す電気信号を生成して携帯電話機４に出力する。車載器１４は、さらに、搭載される自動車１３を識別する車ＩＤを記録し、その起動トリガとともにその車ＩＤを出力することができる。
【００３６】
図２は、地域振興装置３を詳細に示している。地域振興装置３は、コンピュータプログラムである通行情報データベース２１、条件データベース２２、通行情報収集部２３、通行情報処理部２４および通行情報配信部２５を備えている。
【００３７】
通行情報データベース２１は、どの自動車１３がどの地点をいつ通過したかを示す通行情報を記録している。条件データベース２２は、特典提供業者１５から特典を与えられるユーザ１２の条件を記録している。
【００３８】
通行情報収集部２３は、インターネット２を介して携帯電話機４からどの自動車１３がどの地点をいつ通過したかを示す通行情報を収集し、その通行情報を通行情報データベース２１に記録する。通行情報処理部２４は、通行情報データベース２１を参照して、条件データベース２２に記録されている条件を満足するユーザ１２を検索する。通行情報配信部２５は、その条件を満足するユーザが存在するときに、地域振興装置３にその旨を通知する。通行情報配信部２５は、さらに、その条件を満足するユーザ１２の個人情報を地域振興装置３に送信する。通行情報配信部２５は、さらに、通行情報データベース２１を参照して、ユーザ１２の通行情報を携帯電話機４に定期的に通知する。
【００３９】
図３は、通行情報データベース２１を詳細に示している。通行情報データベース２１は、車ＩＤ３１に対応づけてユーザ情報３２を記録している。車ＩＤ３１は、自動車１３を互いに識別する情報であり、自動車１３の車両登録番号を示している。ユーザ情報３２は、ユーザ１２の個人情報を示し、ユーザ１２の氏名、住所、携帯電話機４の電子メールアドレスを示している。通行情報データベース２１は、さらに、車ＩＤ３１に対応づけて通行情報を記録している。通行情報は、地点ＩＤ３３と通過日時３４とから形成されている。地点ＩＤ３３は、自動車１３が通過した地点を示し、すなわち、路側アンテナ１０にそれぞれ対応づけられている地点ＩＤを示している。通過日時３４は、自動車１３がその地点を通過した時刻を示し、すなわち、路側アンテナ１０から起動トリガが出力された時刻を示している。
【００４０】
図４は、条件データベース２２を詳細に示している。条件データベース２２は、特典提供業者情報３６に対応づけて条件３７を記録している。特典提供業者情報３６は、特典提供業者１５を互いに識別する情報であり、特典提供業者端末５の電子メールアドレスを示している。条件２７は、特典提供業者１５から特典が提供されるユーザ１２の条件を示している。その条件は、ユーザ１２がどの地点をいつ通過したかを示す通行情報を用いて表現されている。
【００４１】
たとえば、路側アンテナ１０が設置されている地点は、それぞれ数値で表現されるポイントが対応づけられている。このとき、通過して欲しい地点に対応するポイントを正数にし、通過して欲しくない地点に対応するポイントを負数にする。このとき、条件２７としては、ユーザ１２が通過した地点のポイントの合計が所定のポイントを越えることが例示される。
【００４２】
条件２７としては、さらに、ユーザ１２が複数の地点を所定の期間内にすべて通過することが例示される。
【００４３】
図５は、携帯電話機４を詳細に示している。携帯電話機４は、コンピュータプログラムである起動トリガ収集部４１とアプリケーション群４２とを備えている。アプリケーション群４２は、コンピュータプログラムであるアプリケーションの集合であり、道路課金アプリケーション４３と地域振興アプリケーション４４とを要素としている。
【００４４】
起動トリガ収集部４１は、車載器１４から電気信号として出力される起動トリガを収集する。その起動トリガは、アプリケーションと、そのアプリケーションで使用されるデータとを示している。起動トリガ収集部４１は、さらに、起動トリガに示されるアプリケーションがアプリケーション群４２に含まれるときに、そのアプリケーションを起動する。
【００４５】
アプリケーション群４２の要素であるアプリケーションは、そのアプリケーションを示す起動トリガに示されるデータを用いて動作する。
【００４６】
道路課金アプリケーション４３は、路側アンテナ１０から出力される起動トリガのうちの道路課金アプリケーション４３を示す道路課金トリガに応答して起動する。その道路課金トリガは、路側アンテナ１０を識別する地点ＩＤ、道路課金トリガが出力された時刻、道路課金サーバ６の電子メールアドレスをデータとして示している。道路課金アプリケーション４３は、車載器１４から収集される車ＩＤと、その道路課金トリガに示される地点ＩＤと時刻とを道路課金トリガに示される電子メールアドレスに電子メールを用いて通知する。
【００４７】
地域振興アプリケーション４４は、地域振興センタ１１からユーザ１２に提供されるアプリケーションであり、路側アンテナ１０から出力される起動トリガのうちの地域振興アプリケーション４４を示す地域振興トリガに応答して起動する。その地域振興トリガは、路側アンテナ１０を識別する地点ＩＤ、地域振興トリガが出力された時刻、地域振興装置３の電子メールアドレスをデータとして示している。地域振興アプリケーション４４は、車載器１４から収集される車ＩＤと、その地域振興トリガに示される地点ＩＤと時刻とを地域振興トリガに示される電子メールアドレスに電子メールを用いて通知する。
【００４８】
路側アンテナ１０は、その道路課金トリガとその地域振興トリガとの一方を出力する路側アンテナと、その道路課金トリガとその地域振興トリガとの両方を出力する路側アンテナとを含んでいる。
【００４９】
本発明による地域振興方法の実施の形態は、地域振興システム１を用いて実行され、自動車１３に通行料金を課金する動作と、地域振興のための動作とを備えている。
【００５０】
図６は、自動車１３に通行料金を課金する動作を示している。一般道路と有料道路とを接続する道路、または、制限区域と外部地域とを接続する道路に設置されている路側アンテナ１０は、道路課金トリガを示す電波を常時に出力している（ステップＳ１）。その道路課金トリガは、路側アンテナ１０を識別する地点ＩＤとその電波が出力された時刻と道路課金サーバ６の電子メールアドレスとを示している。その道路を走行する自動車１３に搭載されている車載器１４は、受信した電波を電気信号に変換して携帯電話機４に出力する（ステップＳ２）。すなわち、その電気信号は、道路課金トリガを示している。このとき、車載器１４は、さらに、自動車１３を識別する車ＩＤを示す電気信号を携帯電話機４に出力する。
【００５１】
携帯電話機４は、道路課金トリガに応答して、道路課金アプリケーション４３を起動して（ステップＳ３）、通行情報を道路課金サーバ６に電子メールを用いて通知する（ステップＳ４）。その通行情報は、車ＩＤと道路課金トリガに示される地点ＩＤ、現在時刻とを示している。道路課金サーバ６は、受信された通行情報に基づいて通行料金を導出し（ステップＳ５）、課金処理が実行されたことを携帯電話機４に返信し、課金処理の結果を返信する（ステップＳ６）。携帯電話機４は、受信した課金処理の結果を表示する（ステップＳ７）。その結果としては、通行料金が例示される。有料道路事業者１６は、道路課金サーバ６により受信された車ＩＤに対応する銀行口座から通行料金を精算する。
【００５２】
このような動作によれば、自動車１３は、有料区域の出入り口で通行料金をノンストップで支払うことができる。この結果、その出入り口の排気ガス、騒音を低減し、または、渋滞を緩和して、沿道の環境を改善することができる。
【００５３】
地域振興のための動作は、ユーザ１２から通行情報を収集する動作と、特典提供業者１５に通行情報を配信する動作とを備えている。
【００５４】
図７は、ユーザ１２から通行情報を収集する動作を示している。特典提供業者１５が条件としている地点に設置されている路側アンテナ１０は、設定された時間帯に地域振興トリガを示す電波を出力している（ステップＳ１１）。その地域振興トリガは、路側アンテナ１０を識別する地点ＩＤと、その電波が出力された時刻と、地域振興装置３の電子メールアドレスとを示している。その地点を走行する自動車１３に搭載されている車載器１４は、その電波を受信して電気信号に変換して携帯電話機４に出力する（ステップＳ１２）。すなわち、その電気信号は、地域振興トリガを示している。車載器１４は、さらに、自動車１３を識別する車ＩＤを示す電気信号を携帯電話機４に出力する。
【００５５】
携帯電話機４は、地域振興トリガに応答して、地域振興アプリケーション４４を起動して（ステップＳ１３）、通行情報を地域振興装置３に電子メールを用いて通知する（ステップＳ１４）。その通行情報は、車ＩＤと地域振興トリガに示される地点ＩＤ、現在時刻とを示している。地域振興装置３は、受信された通行情報を通行情報データベース２１に記録する（ステップＳ１５）。
【００５６】
図８は、特典提供業者１５に通行情報を配信する動作を示している。特典提供業者１５に通行情報を配信する動作は、ユーザ１２毎に定期的に実行される。すなわち、地域振興装置３は、まず、通行情報データベース２１からユーザ１２のうちの１人のユーザに対応付けられて記録されている通行情報を抽出する。地域振興装置３は、抽出された通行情報を統計処理して（ステップＳ２１）、条件データベース２２に示される条件をその通行情報が満足しているかどうかを判別する（ステップＳ２２）。地域振興装置３は、その通行情報がその条件を満足しているときに（ステップＳ２２；ＹＥＳ）、その条件に対応する特典提供業者端末５に電子メールを用いてそのユーザのユーザ情報を送信する（ステップＳ２３）。ステップＳ２２〜ステップＳ２３の動作は、条件データベース２２に示される条件毎に実行される。特典提供業者１５は、ユーザ情報が通知されたことに応答して、そのユーザ情報に示される住所に景品を送付する。
【００５７】
地域振興装置３は、さらに、その通行情報の統計処理の結果をそのユーザの携帯電話機４に通知する（ステップＳ２４）。その結果は、条件データベース２２に記録されている条件をそのユーザが満たしているかどうかを示し、その条件を満足するためには、あと、どの地点を通過すべきかを示している。
【００５８】
本発明による地域振興方法によれば、ユーザ１２は、特典がもらえる地点に誘導される。この結果、その地点を含む地域の産業が盛んになる。特典がもらえる条件としてユーザ１２が通過した地点のポイントの合計が所定のポイントを越えることが設定されているときに、ポイントが負数である地点の自動車の通行を制限することができる。この結果、その地点の排気ガス、騒音を低減し、または、渋滞を緩和して、沿道の環境を改善することができる。
【００５９】
さらに、ユーザ１２がその特典を入手するためには、通行料金の徴収に用いられる車載器１４が必要である。本発明による地域振興方法は、ユーザ１２に車載器１４を多くの自動車１３に普及させることができる。
【００６０】
地域振興システムの実施のさらに他の形態は、既述の実施の形態における地域振興システム１の携帯電話機４と車載器１４とを自動車１３を介しないでユーザ１２が携帯している。このとき、ユーザ１２は、その携帯電話機４と車載器１４とを携帯して道路を歩行する。その地域振興システムは、図７、図８の動作を実行する。すなわち、特典提供業者１５が条件としている地点に設置されている路側アンテナ１０は、設定された時間帯に地域振興トリガを示す電波を出力している。その地域振興トリガは、路側アンテナ１０を識別する地点ＩＤと、その電波が出力された時刻と、地域振興装置３の電子メールアドレスとを示している。その地点を歩行するユーザ１２に携帯されている車載器１４は、その電波を受信して電気信号に変換して携帯電話機４に出力する。すなわち、その電気信号は、地域振興トリガを示している。車載器１４は、さらに、自動車１３を識別する車ＩＤを示す電気信号を携帯電話機４に出力する。
【００６１】
携帯電話機４は、地域振興トリガに応答して、地域振興アプリケーション４４を起動して、通行情報を地域振興装置３に電子メールを用いて通知する。その通行情報は、車ＩＤと地域振興トリガに示される地点ＩＤ、現在時刻とを示している。地域振興装置３は、受信された通行情報を通行情報データベース２１に記録する。
【００６２】
地域振興装置３は、条件データベース２２に示される条件毎に、通行情報データベース２１からユーザ１２のうちの１人のユーザに対応付けられて記録されている通行情報を抽出する。地域振興装置３は、抽出された通行情報を統計処理して、条件データベース２２に示される条件をその通行情報が満足しているかどうかを判別する。地域振興装置３は、その通行情報がその条件を満足しているときに、その条件に対応する特典提供業者端末５に電子メールを用いてそのユーザのユーザ情報を送信する。特典提供業者１５は、ユーザ情報が通知されたことに応答して、そのユーザ情報に示される住所に景品を送付する。
【００６３】
地域振興装置３は、さらに、その通行情報の統計処理の結果をそのユーザの携帯電話機４に通知する。その結果は、条件データベース２２に記録されている条件をそのユーザが満たしているかどうかを示し、その条件を満足するためには、あと、どの地点を通過すべきかを示している。
【００６４】
本発明による地域振興方法によれば、ユーザ１２は、特典がもらえる地点に誘導される。この結果、その地点を含む地域の産業が盛んになる。
【００６５】
地域振興システムの実施のさらに他の形態は、既述の実施の形態における地域振興システム１の車載器１４がＧＰＳ衛星を利用して自動車１３の位置を検出するナビゲーション装置である。そのナビゲーション装置は、所定の複数の地点を記録し、自動車１３がその地点を通過したときに、その地点に対応する地点ＩＤと現在時刻と自動車１３を識別する車ＩＤと地域振興アプリケーションとを示す地域振興トリガを携帯電話機４に出力する。
【００６６】
本発明による地域振興方法の実施のさらに他の形態は、そのナビゲーション装置が適用される地域振興システムにより実行され、地域振興のための動作を備えている。すなわち、そのナビゲーション装置は、所定の複数の地点のうちのいずれかを自動車１３が通過したときに、その地点に対応する地点ＩＤと現在時刻と車ＩＤとを示す地域振興トリガを携帯電話機４に出力する。携帯電話機４は、地域振興トリガに応答して、地域振興アプリケーション４４を起動して、通行情報を地域振興装置３に電子メールを用いて通知する。その通行情報は、車ＩＤと地域振興トリガに示される地点ＩＤ、現在時刻とを示している。地域振興装置３は、受信された通行情報を通行情報データベース２１に記録する。
【００６７】
地域振興装置３は、ユーザ１２毎に定期的に、通行情報データベース２１からユーザ１２のうちの１人のユーザに対応付けられて記録されている通行情報を抽出する。地域振興装置３は、抽出された通行情報を統計処理して、条件データベース２２に示される条件をその通行情報が満足しているかどうかを判別する。地域振興装置３は、その通行情報がその条件を満足しているときに、その条件に対応する特典提供業者端末５に電子メールを用いてそのユーザのユーザ情報を送信する。特典提供業者１５は、ユーザ情報が通知されたことに応答して、そのユーザ情報に示される住所に景品を送付する。
【００６８】
このような地域振興方法によれば、ユーザ１２は、特典がもらえる地点に誘導される。この結果、その地点を含む地域の産業が振興する。
【００６９】
【発明の効果】
本発明による地域振興装置及び地域振興方法は、所定の地域に人を集めることができる。
【図面の簡単な説明】
【図１】図１は、地域振興システムの実施の形態を示すブロック図である。
【図２】図２は、本発明による地域振興装置の実施の形態を示すブロック図である。
【図３】図３は、通行情報データベースを示す図である。
【図４】図４は、条件データベースを示す図である。
【図５】図５は、携帯電話機を示すブロック図である。
【図６】図６は、自動車に通行料金を課金する動作を示すフローチャートである。
【図７】図７は、ユーザから通行情報を収集する動作を示すフローチャートである。
【図８】図８は、特典提供業者に通行情報を配信する動作を示すフローチャートである。
【符号の説明】
１  ：地域振興システム
２  ：インターネット
３  ：地域振興装置
４  ：携帯電話機
５  ：特典提供業者端末
６  ：道路課金サーバ
１０：路側アンテナ
１１：地域振興センタ
１２：ユーザ
１３：自動車
１４：車載器
１５：特典提供業者
１６：有料道路事業者
２１：通行情報データベース
２２：条件データベース
２３：通行情報収集部
２４：通行情報処理部
２５：通行情報配信部
３１：車ＩＤ
３２：ユーザ情報
３３：地点ＩＤ
３４：通過日時
３６：特典提供業者情報
３７：条件
４１：起動トリガ収集部
４２：アプリケーション群
４３：道路課金アプリケーション
４４：地域振興アプリケーション
【図１】
2004199607.tif 000003
【図２】
2004199607.tif 000004
【図３】
2004199607.tif 000005
【図４】
2004199607.tif 000006
【図５】
2004199607.tif 000007
【図６】
2004199607.tif 000008
【図７】
2004199607.tif 000009
【図８】
2004199607.tif 000010